(57)【要約】【課題】携帯機器の電池収納等に使用した場合に、機器本体と蓋体の装着、離脱をスムーズに行うことができる蓋体及びこれを用いた携帯機器を提供すること。【解決手段】機器本体に設けられた開口部２７の開閉に用いられ、前記開口部２７を開閉する蓋本体２と、この蓋本体２が前記開口部２７を閉じたときに凹部２５を形成する内周壁部２６に設けられた突起部２３に係合する係合壁部６とを備えた蓋体１であって、前記係合壁部６は、前記蓋体２が前記開口部２７に装着された状態にて、前記突起部２３に対向して位置するように前記凹部２５の幅方向に延在し、その幅方向両端部のいずれか一方又は双方が前記蓋体１の内面に固定され、少なくとも前記突起部２３に対向する部位が、前記突起部２３側およびその逆側にそれぞれ撓むことが可能な主壁部４と、前記突起部２３に係合自在な係合突起８とを備えることを特徴とする。【選択図】    図３
2005051300.tif 000002
【特許請求の範囲】
【請求項１】
機器本体に設けられた被収納体が格納される凹部の開口部の開閉に用いられ、前記開口部を開閉自在とする蓋本体と、この蓋本体の一端部側に設けられ該蓋本体が前記開口部を閉じたときに前記凹部を形成する内周壁部に設けられた突起部に係合する係合壁部とを備えた蓋体であって、
前記係合壁部は、前記蓋体が前記開口部に装着された状態にて、前記突起部に対向して位置するように前記凹部の幅方向に延在し、その幅方向両端部のいずれか一方又は双方が前記蓋体の内面に固定され、少なくとも前記突起部に対向する部位が、前記突起部側およびその逆側にそれぞれ撓むことが可能とされた主壁部と、前記突起部に係合自在な係合突起とを備えることを特徴とする蓋体。
【請求項２】
請求項１記載の蓋体において、
前記主壁部には、前記突起部側に延設し折り返された折返し壁部を備え、前記折返し壁部に前記係合突起が形成されていることを特徴とする蓋体。
【請求項３】
請求項１または２記載の蓋体と被収納体が収納される凹部を備えた機器本体とを有し、前記凹部を形成する内周壁部には突起部を備え、該突起部を前記蓋体の係合突起とを係合又は非係合させることにより、前記蓋体にて前記凹部の開口部を開閉自在としたことを特徴とする携帯機器。
【発明の詳細な説明】
【０００１】
【発明の属する技術分野】
この発明は、携帯端末装置の格納部等に適応する蓋体およびこれを用いた携帯機器に関する。
【０００２】
【従来の技術】
一般に、携帯電話機等の携帯機器においては、機器本体内に電池が収納可能とされた凹部が形成されており、凹部内に電池を格納して電源を保持するようになっている。この場合、通常凹部には電池を格納した後、凹部内に格納された電池を覆うように開口部に蓋体が装着されるようになっている。
携帯電話機は、その性質上いろいろな場所に持ち運ばれて使用されるため、様々な姿勢で使用されたり、持ち運び中に落下等による衝撃があったような場合でも蓋体がはずれて電池が機器本体から離脱しないことが求められる。
【０００３】
従来、この種の電池を収納する収納部の構成としては、図４、図５に示すものが知られている。この図に示すように携帯電話機には凹部５５が設けられており、この凹部５５の周壁部５６にはその一端部の深さ方向の一部に突起部５３が設けられている。そして、この凹部５５には、電池６０が開口部５７を介してその内部に装着されるようになっており、また、この開口部５７には、蓋体３１が装着可能となっている。
【０００４】
この蓋体３１は、蓋本体３２、係合壁部３６、周壁部４０および蓋体３１が開口部５７を閉じたときに突起部５３と面する側（以下、突起部５３側という）の反対側の端部に係合突起３５を備えている。
係合壁部３６は、突起部５３側の上端が蓋本体３２の内面で蓋本体３２に一体的に連接され、深さ方向に延在した主壁部３６ａと、深さ方向の端部側から突起部５３の方向にて開口部５７側に折返された折返し壁部３６ｂとを備えている。
また、折返し壁部３６ｂには、突起部５３に係合自在な係合突起３８を備えていて、折返し壁部３６ｂの先端には押え壁部３６ｃが設けられている。
また、折返し壁部３６ｂは、突起部５３方向およびその逆方向に弾性変形することが可能である。
【０００５】
これを使用する際には、図４、図５（ａ）、（ｂ）に示すように電池６０を機器本体の凹部５５の中に収容し、蓋体３１の係合突起３５を機器本体の図示しない係合孔に係合させ、そこを支点として機器本体の背面５０と蓋本体３２の外面がほぼ同一平面となるまで蓋体３１を機器本体に対して押圧する。
このようにして、機器本体に対して蓋体３１を固定し、所定の位置に電池６０を固定するとともに電池６０が機器本体から離脱するのを防止するようになっている。
また、電池を収容する収納部の別の構成として、電池本体にＪ字形の係合部材を一体化させて電池本体に蓋としての機能を持たせ、構造的にも簡単で機器に対して電池を容易かつ確実に固定する技術が提案されている（たとえば、特許文献１参照。）。
【０００６】
【特許文献１】
特開２０００−３３１６５７（第１頁、第１図）
【０００７】
【発明が解決しようとする課題】
ところで、上記図４、図５に示す収納部においては、蓋体３１が凹部５５の周壁部５６の突起部５３に対して、係合壁部３６の弾性変形のみでこの係合をなすものであるため、その弾性変形量を充分に確保することができず、変形に要する力も大きく蓋体３１の装着、離脱がスムーズに行い難いという問題があった。
また、充分な変形量を得るためには係合壁部３６を深さ方向に長くする必要があるため、携帯機器の薄型化に充分に対応できないという問題があった。
また、上記特許文献１に記載された収納部においては、電池と一体化したＪ字形係合部材によって充分な変形量を得るために、係合部材の深さ方向の長さを充分に長くすることが必要であるなど、薄型の携帯機器に適用するような場合にはその弾性変形量は充分とはいえなかった。
【０００８】
この発明は、このような事情を考慮してなされたもので、携帯機器の電池収納等に使用した場合に、機器本体と蓋体の装着、離脱をスムーズに行うことができる蓋体及びこれを用いた携帯機器を提供するものである。
【０００９】
【課題を解決するための手段】
上記目的を達成するために、この発明は以下の手段を提案している。
請求項１に係る発明は、機器本体に設けられた被収納体が格納される凹部の開口部の開閉に用いられ、前記開口部を開閉自在とする蓋本体と、この蓋本体の一端部側に設けられ該蓋本体が前記開口部を閉じたときに前記凹部を形成する内周壁部に設けられた突起部に係合する係合壁部とを備えた蓋体であって、前記係合壁部は、前記蓋体が前記開口部に装着された状態にて、前記突起部に対向して位置するように前記凹部の幅方向に延在し、その幅方向両端部のいずれか一方又は双方が前記蓋体の内面に固定され、少なくとも前記突起部に対向する部位が、前記突起部側およびその逆側にそれぞれ撓むことが可能とされた主壁部と、前記突起部に係合自在な係合突起とを備えることを特徴とする。
【００１０】
請求項２に係る発明は、請求項１記載の蓋体において、前記主壁部には、前記突起部側に延設し折り返された折返し壁部を備え、前記折返し壁部に前記係合突起が形成されていることを特徴とする。
【００１１】
請求項３に係る発明は、請求項１または２記載の蓋体と被収納体が収納される凹部を備えた機器本体とを有し、前記凹部を形成する内周壁部には突起部を備え、該突起部を前記蓋体の係合突起とを係合又は非係合させることにより、前記蓋体にて前記凹部の開口部を開閉自在としたことを特徴とする。
【００１２】
【発明の実施の形態】
以下、図面を参照し、この発明の実施の形態について説明する。ここで説明する実施形態は、この発明を携帯機器のひとつである携帯電話機に適用した場合の例である。
図１において、携帯電話機１００は、その背面側１０２に電池を装着する凹部２５を備えている。この凹部２５内に図示しない電池が挿入格納されるようになっている。
図３（ａ）、（ｂ）に示すように、凹部２５の開口部２７は、蓋体１により閉塞できるようになっている。凹部２５は、凹部２５の内周壁部２６と底部２８を備えたものであり、内周壁部２６のうち携帯電話機１００を使用するときに上側になる面には、その凹部２５の内方に突出する蓋固定用の突起部２３が突出している。
【００１３】
図２（ａ）、（ｂ）、（ｃ）、図３（ａ）、（ｂ）に示すように、蓋体１は、蓋本体２、係合壁部６、凹部２５の内部に嵌入可能な周壁部３、蓋体１が開口部２７を閉じたときに突起部２３と面する側（以下、突起部２３側という）の反対側の端部に２つの係合突起５を備えている。
係合壁部６は、主壁部４、折返し壁部６ｂ、係合突起８を備えていて、係合突起８は係合壁部６の突起部２３側に設けられている。
【００１４】
主壁部４は、蓋本体２の内面側に蓋本体２が開口部２７に装着された状態で凹部２５の幅方向に延在し、その幅方向両端部４ｂ、４ｃにおいて、後述する周壁部３の固定壁部３ｂ、３ｃ及び蓋本体２と一体的に形成され、その幅方向の上端面４ｄが蓋本体２の内面に対して一定距離離間して配置されている。即ち、蓋本体２の内面と主壁部４の上端面４ｄとの間には隙間Ｓを形成してある。
【００１５】
折返し壁部６ｂは、その幅が主壁部４に対して短く、主壁部４の突起部２３側の面に蓋本体２が開口部２７を閉じたときに凹部２５の深さ方向の定位置から突起部２３の方向側にて、開口部２７の側に折り返されて一体的に形成されている。折返し壁部６ｂは主壁部４とともに、突起部２３方向とその逆方向に弾性変形することが可能となっている。
また、折返し壁部６ｂの先端には押え壁部６ｃが設けられていて、押え壁部６ｃの突起部２３側の端面中央には円弧状の切欠き６ｄが形成され指先や爪を引っ掛けることができるようになっている。
【００１６】
係合突起８は、下面が傾斜面８ａとなっていて、傾斜面８ａが突起部２３に沿って深さ方向に移動することにより、主壁部４と折返し壁部６ｂが係合突起８の突出方向と反対側に弾性変形するようになっている。
また、周壁部３は、固定壁部３ａ、３ｂ、３ｃを備えていて、固定壁部３ｂ、３ｃはその突起部２３側の端部側面で、主壁部４の両端部４ｂ、４ｃと一体的に形成されている。
【００１７】
次に、上記の構成からなる蓋体１を携帯電話機１００に脱着する際の動作について、図３（ａ）、（ｂ）に基づいて説明する。
図３（ａ）、（ｂ）に示すように、携帯電話機１００を構成する機器本体内の凹部２５に電池３０を挿入し、所定の位置に固定するとともに、電池３０の電極を図示しない機器本体の電極に接続する。
そして、蓋体１の内面を機器本体の開口部２７の側に向けた状態で、蓋体１の係合突起５を機器本体１００の係合孔（図示せず）に係合させ、例えば係合壁部６の押え壁部６ｃを押えて蓋体１を凹部２５内に押し込む。
【００１８】
このようにすると、図２（ｃ）、図３（ａ）に示すように、蓋体１の周壁部３が凹部２５の内方向に挿入されると共に、係合突起８の下側の傾斜面８ａが突起部２３に当接し、この係合突起８の下面が傾斜面８ａとされているために、突起部２３の傾斜面８ａが深さ方向に押されるにつれて、折返し壁部６ｂが係合突起８の突出方向と反対側の矢印の方向（突起部２３と逆側）に押され、図２（ｃ）に示すように折返し壁部６ｂが弾性変形し、それにともない主壁部４も係合突起８の突出方向と反対側の矢印の方向（突起部２３と逆側）に弾性変形をする。
【００１９】
さらに蓋体１の係合壁部６が下方に移動することによって係合突起８が内周壁部２６の突起部２３を乗越える。
そして乗越えた後、この係合壁部６が弾性復帰し、係合突起８の上端面８ｃが突起部２３の下面側に係合する。
この際、主壁部４も弾性復帰し、この係合突起８の上端面８ｃと周壁部２６の突起部２３の下面が係合し、蓋体１が携帯電話機１００の機器本体に確実に固定される。
また、蓋体１の周壁部３の一部が携帯電話機１００の凹部２５内に嵌入されることで携帯電話機１００が持ち運ばれ、いろいろな姿勢で使用されても蓋体１が機器本体に対してガタ付くことを防止できる。
【００２０】
また、蓋体１を携帯電話機１００から取外す場合には、蓋体１の押え壁部６ｃに設けた切欠き６ｄに指先や爪を引っ掛けて、押え壁部６ｃを係合突起８の突出方向と反対方向（突起部２３側）に押して折返し壁部６ｂおよび主壁部４を突起突起８の突出方向と反対方向に、係合突起８の上面８ｃが突起部２３の下面から外れるまで弾性変形させることによって、係合壁部６が突起部２３に拘束されない状態にする。
その後、押え壁部６ｃを引き上げることによって蓋体１を持ち上げて、携帯電話機１００から取外す。
【００２１】
上述したように、蓋体１によれば、蓋本体２と主壁部４が離間した構成とされていて折返し壁部６ｂとともに主壁部４が矢印の方向に変形するため、大きな弾性変形量を得ることができ、蓋体１の取り付けをスムーズに行うことができる。
また、この構成によれば、蓋体１を取り外す場合に係合壁部６の弾性係数が小さいので、押え壁部６ｃを携帯電話機１００の突起部２３の突出方向に押して係合壁部６の係合突起８を突起部２３から取りはずす際の力を小さくすることができる。
【００２２】
また、弾性変形量を大きくとることができるので、係合部の引っかかりを大きく確保することができ、衝撃等に対しても蓋がはずれにくくすることができる。
また、この構成によれば、弾性変形可能な範囲を大きく設定することができるので、折返し壁部６ｂの深さ方向の長さを大きくする必要がない。
特に、主壁部４は、凹部２５の幅方向に延在しているので大きな変形寸法を確保でき、さらに折返し壁部６ｂも主壁部４とは別に独立して大きな変形寸法が確保できるので、深さ方向寸法を増大させることなく確実な係合状態を達成できる。
【００２３】
また、係合壁部６は主壁部４の両端部４ｂ、４ｃで固定壁３ｂ、３ｃおよび蓋本体２に一体的に形成され、構造が簡単なので安価に生産することができる。
なお、上記の実施の形態においては、主壁部４は、その幅方向両端部４ｂ、４ｃが周壁部３の側壁部３ｂ、３ｃに固定されている場合について説明したが、そのいずれか一方のみが固定されたものであってもよく、また、本発明の要旨を逸脱しない範囲で、改良や設計変更したものにも適用することができる。
さらに、本実施形態では携帯電話機１００を例に説明したが、本発明は、ＰＤＡ（パーソナル  デジタル  アシスタント）、ノートパソコン、電子カメラ等の他の携帯機器にも適用できることは言うまでもない。
【００２４】
【発明の効果】
以上説明したように、この発明によれば、主壁部が凹部の幅方向に延在していて小さな力で大きな弾性変形量を確保できるため、蓋体を機器本体にスムーズに取付けることが容易にできる。
また、小さな力で大きな弾性変形量を確保できるため、蓋体を機器本体より小さな力で取り外すことが容易にできる。
また、係合壁部の深さ方向の長さを小さくすることができ、携帯機器の薄型化を図ることができる。
【図面の簡単な説明】
【図１】この発明の一実施形態に係る携帯電話機の斜視図である。
【図２】図１に示した携帯電話機の蓋体の斜視図であり、（ａ）は蓋体の内面側から見た斜視図、（ｂ）は蓋体を外面側から見た斜視図であり、一部を断面にしたもの、（ｃ）は係合壁部を蓋本体を取外して外面側から見た斜視図である。
【図３】この発明の一実施形態に係る携帯電話機の蓋体の係合状態を示した縦断面図であり、（ａ）は蓋体を携帯電話機の凹部に対して係合途中の状態を示した縦断面図、（ｂ）は蓋体を携帯電話機の凹部に対して係合した状態を示した縦断面図である。
【図４】従来の蓋体の斜視図であり、一部を断面にしたものである。
【図５】従来の携帯電話機に係る蓋体の係合状態の一例を示した縦断面図であり、（ａ）は蓋体１を携帯電話機の凹部に対して係合途中の状態を示した縦断面図、（ｂ）は蓋体１を携帯電話機の凹部に対して係合した状態を示した縦断面図である。
【符号の説明】
１      蓋体
２      蓋本体
４      主壁部
４ｂ、４ｃ  主壁部幅方向両端部
６      係合壁部
６ｂ    折返し壁部
８      係合突起
２３    突起部
２５    凹部
２６    内周壁部
２７    開口部
３０    電池（被収納体）
１００  携帯電話機（携帯機器）
【図１】
2005051300.tif 000003
【図２】
2005051300.tif 000004
【図３】
2005051300.tif 000005
【図４】
2005051300.tif 000006
【図５】
2005051300.tif 000007